(57)【要約】      （修正有）【課題】複数のエネルギを蓄積及び管理するシステムとその作製方法を提供する。【解決手段】電気式駆動装置と、電気式駆動装置と電気的に結合されたＤＣリンクと、電気式駆動装置と電気的に結合され、少なくとも高比出力エネルギ蓄積装置を有する、第１のエネルギ蓄積システムとを備えた推進システムを開示する。この推進システムは、第２のエネルギ蓄積システムも更に含み、この第２のエネルギ蓄積システムの正端子は、ＤＣリンクを介して電気式駆動装置と電気的に結合されており、この高比出力エネルギ蓄積装置の正端子には、第２のエネルギ蓄積システムの負端子が直列に結合されている。第１のエネルギ蓄積システム及び第２のエネルギ蓄積システムには、多チャネル双方向昇圧コンバータが結合されており、高比出力エネルギ蓄積装置の正端子と第２のエネルギ蓄積システムの負端子とのこの接続は、多チャネル双方向昇圧コンバータをバイパスしている。【選択図】図１
2011041461.tif 000002
【特許請求の範囲】
【請求項１】
電気式駆動装置（２１２）と、
前記電気式駆動装置（２１２）と電気的に結合された直流（ＤＣ）リンク（１１８、１２０）と、
前記電気式駆動装置（２１２）と電気的に結合され、少なくとも高比出力エネルギ蓄積装置（１０４）を備える、第１のエネルギ蓄積システムと、
第２のエネルギ蓄積システム（１１２）であって、前記第２のエネルギ蓄積システム（１１２）の正端子が前記ＤＣリンク（１１８、１２０）を介して前記電気式駆動装置（２１２）と電気的に結合され、前記第２のエネルギ蓄積システム（１１２）の負端子が前記高比出力エネルギ蓄積装置（１０４）の正端子と直列に結合されている、前記第２のエネルギ蓄積システム（１１２）と、
前記第１のエネルギ蓄積システム及び前記前記第２のエネルギ蓄積システム（１１２）と結合された多チャネル双方向昇圧コンバータ（１０６）であって、前記高比出力エネルギ蓄積装置（１０４）の前記正端子と前記第２のエネルギ蓄積システム（１１２）の前記負端子との前記直列接続が、前記多チャネル双方向昇圧コンバータ（１０６）をバイパスしている、多チャネル双方向昇圧コンバータ（１０６）とを備える、推進システム（１００、２００、３００）。
【請求項２】
前記第２のエネルギ蓄積システム（１１２）が動力電池を含む、請求項１に記載の推進システム。
【請求項３】
前記第２のエネルギ蓄積システム（１１２）がウルトラキャパシタを含む、請求項１に記載の推進システム。
【請求項４】
前記第１のエネルギ蓄積システムの前記高比出力エネルギ蓄積装置（１０４）、及び前記第２のエネルギ蓄積システム（１１２）が、車両の減速を含む負荷の軽減に関連付けられた回生ブレーキ時に回生エネルギを受け取るように構成された、請求項１に記載の推進システム。
【請求項５】
前記多チャネル双方向昇圧コンバータ（１０６）が、前記回生ブレーキ時に、前記第１のエネルギ蓄積システムの前記高比出力エネルギ蓄積装置（１０４）と前記第２のエネルギ蓄積システム（１１２）とに転送される回生エネルギの量を、車両の速度、前記高比出力エネルギ蓄積装置の充電状態、前記動力電池の充電状態、電気式駆動装置のトルク要求、及び電気式駆動装置の速度のうちの少なくとも１つに応じて制御するように構成された、請求項４に記載の推進システム。
【請求項６】
前記第１のエネルギ蓄積システムの前記高比出力エネルギ蓄積装置（１０４）、及び前記第２のエネルギ蓄積システム（１１２）が、パルス状負荷、定常状態負荷、車両の巡航走行、及び車両の加速のうちの少なくとも１つに関連付けられたモータ運転時にエネルギを供給するように構成された、請求項１に記載の推進システム。
【請求項７】
前記多チャネル双方向昇圧コンバータ（１０６）は、前記モータ運転時に、前記第１のエネルギ蓄積システムの前記高比出力エネルギ蓄積装置（１０４）と前記第２のエネルギ蓄積システム（１１２）とに転送されるエネルギの量を、車両の速度、前記高比出力エネルギ蓄積装置の充電状態、前記動力電池の充電状態、電気式駆動装置のトルク要求、及び電気式駆動装置の速度のうちの少なくとも１つに応じて制御するように構成された、請求項６に記載の推進システム。
【請求項８】
前記高比出力エネルギ蓄積装置（１０４）がウルトラキャパシタを含む、請求項１に記載の推進システム。
【請求項９】
前記第１のエネルギ蓄積システムが、前記高比出力エネルギ蓄積装置（１０４）と結合されたエネルギ電池（１０２）を更に含む、請求項１に記載の推進システム。
【請求項１０】
前記第１のエネルギ蓄積システム及び前記第２のエネルギ蓄積システム（１１２）のうちの少なくとも一方と結合された補助動力装置（３０２）を更に含む、請求項１に記載の推進システム。
【発明の詳細な説明】
【技術分野】
【０００１】
本発明の実施形態は、主に駆動システムに関し、特に、電池式の電気車両又はハイブリッド車両に用いられるような電池式駆動システムに関する。
【背景技術】
【０００２】
近年、電気車両やハイブリッド電気車両がますます一般的になりつつある。これらの車両の動力は、典型的に、１つ又は複数の電池のみから、或いは、１つ又は複数の電池と内燃エンジンとを組み合わせたものから供給される。電気車両では、この１つ又は複数の電池から駆動システム全体に動力が供給されるので、内燃エンジンは不要である。一方、ハイブリッド電気車両は、内燃エンジンを備えて電池からの動力を補うことにより、車両の燃料効率を大幅に向上させている。
【０００３】
従来、これらの車両の電気式推進システム及びハイブリッド電気式推進システムでは、大型電池、ウルトラキャパシタ、フライホイール、又は、これらの要素を組み合わせたものを用いて、電気モータの駆動に十分なエネルギを供給している。これらの要素は概ね効果的であるものの、そのサイズと重量により、推進システム全体の効率が低下し、これらの車両自体への組み込みが課題となった。
【０００４】
従来の電気式推進システムに関する別の問題は、エネルギ蓄積装置（即ち、電池及び／又はウルトラキャパシタ）の定格電圧によって、システム全体の電圧が決まってしまうことである。従って、電気モータの動力として利用可能なエネルギは、エネルギ蓄積装置自体が有する利用可能なエネルギに限られていた。そのような構成では、電気モータの電圧要求が、エネルギ蓄積装置の電圧を大幅に上回ることが多いので、電気式推進システムの全体的な信頼性と効率が制限されていた。この問題に対処するために、双方向昇圧コンバータを用いて、エネルギ蓄積装置の電圧を、電気モータと結合されている直流（ＤＣ）リンクの電圧と切り離すことができる。双方向昇圧コンバータが機能することにより、エネルギ蓄積装置からＤＣリンクに供給される電圧が増加（「昇圧（ｂｏｏｓｔ）」）し、電気モータの動力要求が満たされる。実際、ＤＣリンク電圧の、エネルギ蓄積装置電圧に対する比率は、通常、２：１を上回る。双方向昇圧コンバータにより、１つ又は複数のエネルギ蓄積装置を大型化することなく、ＤＣリンクに供給される電圧をそのように昇圧させることができる。
【０００５】
双方向昇圧コンバータにより、エネルギ蓄積装置の相応の大型化を伴うことなく、ＤＣリンクへの供給電圧を首尾よく増加させることができるものの、特定の動作状態において、双方向昇圧コンバータの効率が低下してしまう。具体的には、車両が高速且つ高出力で加速及び減速する際、ＤＣリンク電圧の、電池電圧に対する比率は、２．５：１を上回ることが多い。このような動作状態においては、昇圧コンバータの部品が受ける電流のレベルが非常に高くなるので、昇圧コンバータのパワーエレクトロニクス部品の熱を放散するための適切な温度設計が必要になる。双方向昇圧コンバータの部品にかかるこのような熱サイクル応力は、信頼性だけでなくシステム全体の効率を低下させる可能性がある。
【０００６】
更に、「回生ブレーキ（ｒｅｇｅｎｅｒａｔｉｖｅ  ｂｒａｋｉｎｇ）」として周知のコンセプトにより、高速且つ高出力の減速時に、電気モータで生成された潜在的に比較的高い電圧の動力を、双方向昇圧コンバータを介してエネルギ蓄積装置に戻して蓄積することができる。しかし、ＤＣリンク電圧の、電池電圧に対する比率が高い場合には、双方向昇圧コンバータ内の損失が高くなるので、それらの電気部品において適切な放熱が必要である。更に、エネルギ蓄積装置に供給される回生動力は、エネルギ蓄積装置自体の充電受け入れ性能によって制限される場合が多く、これにより、システムの効率が一層低下する。
【先行技術文献】
【特許文献】
【０００７】
【特許文献１】米国特許第７，０４９，７９２号
【発明の概要】
【発明が解決しようとする課題】
【０００８】
したがって、全体的なシステム効率が高いことに加え、高出力の回生ブレーキ時に高レベルでエネルギを捕捉することができる、電気式及び／又はハイブリッド電気式推進システムの開示が望まれている。
【課題を解決するための手段】
【０００９】
本発明の実施形態により、推進システムを開示する。この推進システムは、電気式駆動装置と；電気式駆動装置と電気的に結合された直流（ＤＣ）リンクと；電気式駆動装置と電気的に結合され、少なくとも高比出力エネルギ蓄積装置を有する、第１のエネルギ蓄積システムとを含む。この推進システムは、第２のエネルギ蓄積システムも更に含み、この第２のエネルギ蓄積システムの正端子は、ＤＣリンクを介して電気式駆動装置と電気的に結合されており、この高比出力エネルギ蓄積装置の正端子には、第２のエネルギ蓄積システムの負端子が直列に結合されている。第１のエネルギ蓄積システム及び第２のエネルギ蓄積システムには、多チャネル双方向昇圧コンバータが結合されている。高比出力エネルギ蓄積装置の正端子と第２のエネルギ蓄積システムの負端子とのこの直列接続は、多チャネル双方向昇圧コンバータをバイパスしている。
【００１０】
本発明の別の態様により、制御システムの組立方法を開示する。この方法は、ウルトラキャパシタとエネルギ電池とを結合して、第１のエネルギ蓄積システムを構築するステップと、第２のエネルギ蓄積システムと電気式駆動装置とを、直流（ＤＣ）リンクを介して結合するステップと、多チャネル双方向昇圧コンバータを、第１のエネルギ蓄積システム及び第２のエネルギ蓄積システムのそれぞれと結合するステップとを含む。この方法は、ウルトラキャパシタの正端子と第２のエネルギ蓄積システムの負端子との接続が多チャネル双方向昇圧コンバータをバイパスするように、このウルトラキャパシタの正端子と第２のエネルギ蓄積システムの負端子とを直列に接続するステップを更に含む。
【００１１】
本発明のまた別の態様により、電気的に動力が供給されるシステム用のエネルギ蓄積構造を開示する。この構造は、少なくともウルトラキャパシタを有する第１のエネルギ蓄積システムと、多チャネル双方向昇圧コンバータを含み、この多チャネル双方向昇圧コンバータは、その低電圧側において、第１のエネルギ蓄積システムと結合されている。この構造は、多チャネル双方向昇圧コンバータの高電圧側において、この多チャネル双方向昇圧コンバータと結合された第２のエネルギ蓄積システムを更に含む。第２のエネルギ蓄積システムは、更に、この第２のエネルギ蓄積システムとウルトラキャパシタとの直列接続が多チャネル双方向昇圧コンバータをバイパスするように、ウルトラキャパシタと直列に結合されている。
【００１２】
以下の詳細な説明と添付図面において、その他様々な特徴や利点が明示されている。
【００１３】
添付図面に、本発明の現時点における好ましい実施形態を示す。
【図面の簡単な説明】
【００１４】
【図１】本発明の一実施形態による推進システムの概略図である。
【図２】推進システムの別の実施形態の概略図である。
【図３】推進システムのまた別の実施形態の概略図である。
【発明を実施するための形態】
【００１５】
図示のシステムは、電気式駆動装置と、少なくとも高比出力エネルギ蓄積装置（ウルトラキャパシタなど）を含む第１のエネルギ蓄積システムと、直流（ＤＣ）リンクを介して電気式駆動装置と電気的に結合された第２のエネルギ蓄積システムとを有する。第１のエネルギ蓄積システムと第２のエネルギ蓄積システムは両方とも、多チャネル双方向昇圧コンバータと電気的に結合されている。更に、高比出力エネルギ蓄積装置の正端子が第２のエネルギ蓄積システムの負端子に、多チャネル双方向昇圧コンバータをバイパスするように結合されている。高比出力エネルギ蓄積装置と第２のエネルギ蓄積システムとをこのように接続することで、加速時に電気式駆動装置に高レベルの電圧を供給するとともに、第１のエネルギ蓄積システムにおける、回生ブレーキ時のエネルギ捕捉性能を高めることができる。
【００１６】
図１に、本発明の一実施形態による推進システム１００を示す。推進システム１００は、その一部として、エネルギ電池１０２及び高比出力エネルギ蓄積装置１０４を有する第１のエネルギ蓄積システムを含む。推進システム１００は、更に、多チャネル双方向昇圧コンバータ１０６も含む。高比出力エネルギ蓄積装置１０４は、例えば、ウルトラキャパシタであってよい。この例では、ウルトラキャパシタは、互いに結合された複数のキャパシタセルから成るキャパシタである。これらのキャパシタセルそれぞれのキャパシタンスは、５００ファラドを上回っていてもよい。本明細書において、エネルギ電池とは、１００ワット時／ｋｇ以上オーダーのエネルギ密度を得られることが実証された、高比エネルギ電池又は高エネルギ密度電池（例えば、リチウム−イオン電池、ナトリウム−金属ハロゲン化物（ｓｏｄｉｕｍ−ｍｅｔａｌ  ｈａｌｉｄｅ）電池、ナトリウム塩化ニッケル電池、ナトリウム−硫黄電池、又は空気−亜鉛電池）のことである。エネルギ電池１０２と高比出力エネルギ蓄積装置１０４とは、多チャネル双方向昇圧コンバータ１０６の低電圧側２０２において互いに結合されている。エネルギ電池１０２の負端子２０４及び高比出力エネルギ蓄積装置１０４の負端子２０６は、バス１０８と結合されており、エネルギ電池１０２の正端子２０８は、バス１１０と結合されている。このバス１１０は、多チャネル双方向昇圧コンバータ１０６の低電圧側２０２において、インダクタを介して多チャネル双方向昇圧コンバータ１０６の１つのチャネルに接続された正バス（ｐｏｓｉｔｉｖｅ  ｂｕｓ）である。高比出力エネルギ蓄積装置１０４の正端子２１０は、バス２２０と結合されており、バス２２０は、低電圧側２０２において、インダクタを介して多チャネル双方向昇圧コンバータ１０６の第２のチャネル（ｂ）に結合されている。
【００１７】
システム１００は、更に、エネルギ蓄積装置１１２を含む第２のエネルギ蓄積システムと、ＡＣトラクション駆動装置２１２とを有する。ＡＣトラクション駆動装置２１２は、多チャネル双方向昇圧コンバータ１０６の高電圧側２１４に結合されたＤＣ−ＡＣインバータ１１４及びＡＣモータ１１６を有する。エネルギ蓄積装置１１２は、例えば、高い定格出力のバッテリであってよい。その代わりに、エネルギ蓄積装置１１２がウルトラキャパシタであってもよい。一代替実施形態において、インバータ１１４をＤＣチョッパ（図示せず）に置き換え、ＡＣモータ１１６をＤＣモータ（図示せず）に置き換えて、ＡＣトラクション駆動装置２１２をＤＣトラクション駆動装置（図示せず）に置き換えてもよい。エネルギ蓄積装置１１２は、正ＤＣリンク１１８を介して、多チャネル双方向昇圧コンバータ１０６と結合されている。ＤＣ−ＡＣインバータ１１４は、正ＤＣリンク１１８及び負ＤＣリンク１２０とも結合されており、これらを介して、ＤＣ−ＡＣインバータ１１４は、ＤＣ電圧を受け取り、交流電流をＡＣモータ１１６に供給する。負ＤＣリンク１２０の電位は、通常、多チャネル双方向昇圧コンバータ１０６の低電圧側２０２のバス１０８の電位と同じである。
【００１８】
通常動作時、多チャネル双方向昇圧コンバータ１０６により、システム１００の低電圧側２０２から供給される電圧が昇圧し、システム１００の高電圧側２１４に出力されるとともに、この電圧が調整され、エネルギ電池１０２、高比出力エネルギ蓄積装置１０４、及びエネルギ蓄積装置１１２の過電流保護が行われる。エネルギ蓄積装置１１２（又は、エネルギ蓄積装置１１２と高比出力エネルギ蓄積装置１０４とを組み合わせたもの）は、大抵、車両を比較的低速で動作させるために十分な電圧がＡＣモータ１１６に供給されるように動力を供給することができるが、加速が加わる間は、ＡＣモータ１１６に供給する電圧を補わねばならないこともある。そのような場合は、多チャネル双方向昇圧コンバータ１０６の低電圧側２０２のエネルギ電池１０２からのエネルギを用いて、車両の加速を大きくするために必要な電圧を供給する。エネルギ電池１０２からのエネルギが用いられるのは、高比出力エネルギ蓄積装置１０４の充電状況（ＳＯＣ）が、ある所定の最小値（通常は、バッテリ１０２の電圧よりも低い値）を下回る枯渇状態になった場合である。高比出力エネルギ蓄積装置１０４のＳＯＣがこの所定の最小値に達すると、単方向結合素子１２２が導通して、多チャネル双方向昇圧コンバータ１０６が、多チャネル双方向昇圧コンバータ１０６の２つのチャネルを介して、主にエネルギ電池１０２からエネルギを抽出するようになる。これによって、定格電力を、多チャネル双方向昇圧コンバータ１０６の単一チャネルの場合のほぼ２倍にすることができる。図１の実施形態では、単方向結合素子１２２がダイオードとして図示されているが、他の周知の部品及び回路技術を用いて単方向導通装置１２２を実装してもよいことを理解されたい。この構造により、特に、高比出力エネルギ蓄積装置１０４の利用可能エネルギが枯渇した場合や、所定の制限電圧に近付いた場合に、車両の動作速度を増大させ易くなる。
【００１９】
高比出力エネルギ蓄積装置１０４のＳＯＣが比較的低い場合（即ち、電圧が低い場合）は、正バス１１０から、多チャネル双方向昇圧コンバータ１０６の低電圧側（チャネル「ａ」）を介して、エネルギ電池１０２の電圧を昇圧して、高電圧側のＤＣリンク１１８及び１２０に出力することができる。エネルギ電池１０２から正バス１１０を介して、且つ／又は、高比出力エネルギ蓄積装置１０４から正バス２２０を介して供給される電圧は、多チャネル双方向昇圧コンバータ１０６を介して、通常は２：１を上回る昇圧比で「昇圧される（ｂｏｏｓｔｅｄ）」（高められる）。このように、出力機能としてエネルギ電池１０２及び／又は高比出力エネルギ蓄積装置１０４がある場合でも、ＡＣモータ１１６を加速させるのに必要な電圧及び動力を、多チャネル双方向昇圧コンバータ１０６の電圧昇圧機能により供給することができる。更に、多チャネル双方向昇圧コンバータ１０６を介して、エネルギ電池１０２からのエネルギを用いて、高比出力エネルギ蓄積装置１０４及びエネルギ蓄積装置１１２の一方又は両方を同時に充電することもできる。
【００２０】
多チャネル双方向昇圧コンバータ１０６の動作は、通常動作条件下（例えば、加速及び／又は減速が小さい場合）では十分であったとしても、車両の加速又は減速が大きい場合には、多チャネル双方向昇圧コンバータ１０６などの多チャネル双方向昇圧コンバータの効率が低下する可能性がある。すなわち、多チャネル双方向昇圧コンバータのそれぞれの低電圧側で使用可能な電圧に対して、ＡＣモータに十分な動力供給に必要な電圧の比率が高くなるにつれて、多チャネル双方向昇圧コンバータの各部品を流れる電流が増加し、これに伴って、多チャネル双方向昇圧コンバータの電気損失が増加し、熱サイクル応力が生じる可能性がある。このような電流増加により、双方向昇圧コンバータの効率が低下する可能性があるので、これらの損失による熱を放散するための適切な温度設計及びハードウェアがパワーエレクトロニクス部品に必要になるが、図１の実施形態では、特に、比較的高出力、高速の車両の加速及び減速時の動作において、システム１００の効率を大幅に向上させることで、この問題に対処する。
【００２１】
具体的には、高比出力エネルギ蓄積装置１０４の正端子２１０は、リンク１２４を介して、エネルギ蓄積装置１１２の負端子２１６と直列に結合されている。多チャネル双方向昇圧コンバータ１０６の１つのチャネルを、リンク１２４でバイパスして、高比出力エネルギ蓄積装置１０４及びエネルギ蓄積装置１１２の電圧出力を合わせることで、高比出力エネルギ蓄積装置１０４及びエネルギ蓄積装置１１２の高比出力特性が利用可能になる。パルス状負荷、定常状態負荷、車両の巡航走行、車両の加速などのモータ運転時は、これら２つのエネルギ蓄積装置の合計電圧により、電流が多チャネル双方向昇圧コンバータ１０６を流れることに関連する損失を被ることなく、ＡＣモータ１１６に十分な電圧及び動力を供給することができる。更に、高比出力エネルギ蓄積装置１０４と第２のエネルギ蓄積装置１１２とを直列に結合することにより、１つ又は複数のトラクション電池がインバータ又は負荷のＤＣリンクに直接結合される従来型のトラクション電池システムに比べて、使用する電池セルの数が少なくて済む。これにより、コスト、重量、バランシング、及び信頼性の問題が軽減される。
【００２２】
高比出力エネルギ蓄積装置１０４とエネルギ蓄積装置１１２とをこのように直列接続することにより、モータの加速に関する動力性能が高まることに加えて、回生ブレーキ時のエネルギ捕捉効率が高まる。エネルギ電池１０２とは異なり、高比出力エネルギ蓄積装置１０４及びエネルギ蓄積装置１１２は、ＳＯＣが低い場合でも動作可能であり、迅速且つ高出力の充電受け入れが可能である。したがって、これらのエネルギ蓄積装置は、車両の減速時などの負荷の軽減（ｏｖｅｒｈａｕｌｉｎｇ  ｌｏａｄｓ）時に、ＡＣモータ１１６が生成する高電圧の回生エネルギから回生動力の大半を受け入れることができる。このような回生ブレーキ時にも、多チャネル双方向昇圧コンバータ１０６の制限に関連した損失を被ることなく、回生エネルギを高比出力エネルギ蓄積装置１０４及びエネルギ蓄積装置１１２に効率的に蓄積することができる。というのも、リンク１２４により、多チャネル双方向昇圧コンバータ１０６をバイパスできるからである。高比出力エネルギ蓄積装置１０４及びエネルギ蓄積装置１１２に蓄積されたエネルギを、その後の加速に用いることができるので、この場合も、推進システム１００全体の全体的な効率が向上する。
【００２３】
図１の例示的実施形態のまた別の利点として、エネルギ蓄積装置に供給されるエネルギ及びエネルギ蓄積装置から供給されるエネルギのレベルを動的に制御することが可能である。多チャネル双方向昇圧コンバータ１０６は、これらのエネルギレベルを適応管理するエネルギ管理システム（ＥＭＳ）として動作可能であり、この適応管理は、車両の速度、ＡＣトラクション駆動トルク要求、ＡＣトラクション駆動速度、エネルギ蓄積装置の各種の電気的特性（例えば、ＳＯＣ、電圧レベル、健康状態、及び温度）などのパラメータに基づいて行う。例えば、そのような動的制御により、多チャネル双方向昇圧コンバータ１０６は、車両の通常の加速時に高比出力エネルギ蓄積装置１０４及び／又はエネルギ電池１０２から供給されるエネルギの量を独自に制御することが可能である。同様に、多チャネル双方向昇圧コンバータ１０６の動作により、減速時に、エネルギ蓄積装置１１２、高比出力エネルギ蓄積装置１０４、及び／又はエネルギ電池１０２に供給される回生エネルギの量が、システム全体の充電受け入れ量が最大になるように制御される。このような動的制御により、システム１００の全体効率は大幅に向上する。
【００２４】
図２に、本発明の別の実施形態を示す。図２の推進システム２００は、図１のシステム１００の構成要素と同様の構成要素を有するので、図１の構成要素を示すために用いた参照符号を、図２の同様な構成要素を示す場合にも用いる。図示のように、システム２００は、システム１００の構成部品に加え、複数の電圧センサ１２６、電流センサ１２８、事前充電回路１３２、車両システム制御装置（ＶＳＣ）１３４などを有する。事前充電回路１３２により、車両の始動時に、ＤＣ−ＡＣインバータ１１４に関連付けられたＤＣリンクフィルタキャパシタ２１８と、ＥＭＳに関連付けられたその他のフィルタキャパシタ及びエネルギ蓄積キャパシタに、最初の初期充電が行われる。このような車両の始動コマンドは、ＶＣＳ１３４から送られてくる。ＶＣＳ１３４は、始動、加速、減速などのオペレータ入力を受け取り、これに応じてシステム２００の動作を制御する。システム２００のエネルギ電池１０２、高比出力エネルギ蓄積装置１０４、多チャネル双方向昇圧コンバータ１０６、エネルギ蓄積装置１１２は、システム１００に関して上述したものと同様に動作可能であることを理解されたい。代替的に、エネルギ電池１０２を第１のエネルギ蓄積システムから除いて、高比出力エネルギ蓄積装置１０４を、システム２００の低電圧側２０２の唯一のエネルギ蓄積装置にすることも可能である。このような構成は、主に、ハイブリッド電気式駆動系の構成で用いられる。この場合、第１のエネルギ蓄積システム及び第２のエネルギ蓄積システムから供給されるエネルギを、熱機関（図示せず）で補うこともできる。
【００２５】
図３に、本発明のまた別の実施形態を示す。図３の推進システム３００は、図１及び図２のシステム１００及び２００に示した構成要素と同様の構成要素を有するので、図１及び図２の構成要素を示すために用いた参照符号を、図３の同様な構成要素を示す場合にも用いる。図示のように、システム３００は、多チャネル双方向昇圧コンバータ１０６の低電圧側２０２に補助動力装置３０２を有する。補助動力装置３０２は、熱機関１３６、オルタネータ１３８、及び整流器１４０を有する。システム３００の補助動力装置３０２は、更に、プラグイン電気系を有しており、プラグイン電気系は、ＡＣプラグ１４２、絶縁変圧器１４４、地絡電流遮断器（ＧＦＩ）１４６、及び整流器１４８を有する。熱機関１３６及びオルタネータ１３８により生成されるエネルギで、高比出力エネルギ蓄積装置１０４及び／又はエネルギ電池１０２から供給されるエネルギを補えるように、整流器１４０の出力がバス２２２と結合されている。更に、熱機関１３６が動作している場合、熱機関１３６、オルタネータ１３８、及び整流器１４０から供給されるエネルギを用いて、エネルギ電池１０２、高比出力エネルギ蓄積装置１０４、及びエネルギ蓄積装置１１２の再充電を選択的に行うことができる。再充電動作時の電流、電圧、動力の制御は、ＶＳＣ１３４及びＥＭＳにより行われる。
【００２６】
エネルギ電池１０２、高比出力エネルギ蓄積装置１０４、及びエネルギ蓄積装置１１２をモータ１１６の運転に使用していない場合は、その代わりに、ＡＣプラグ１４２を外部電源（即ち、送電網）と結合して、エネルギを整流器１４８からシステム３００のエネルギ蓄積装置１０２、１０４、１１２に供給することができる。整流器１４８の出力３０４は、インダクタを介して、多チャネル双方向昇圧コンバータ１０６の別のチャネル（例えば、チャネル「ｃ」）と結合されているが、これは、外部電源からの電圧、電流、及び動力を制御し、システム３００のエネルギ電池１０２、高比出力エネルギ蓄積装置１０４、及びエネルギ蓄積装置１１２のいずれかに供給できるようにするためである。図３では、システムが電気インタフェースとＡＣプラグ１４２で接続されている場合、接触器１３０により、エネルギ電池１０２、高比出力エネルギ蓄積装置１０４、及びエネルギ蓄積装置１１２の充電時に、ＤＣ−ＡＣインバータ１１４が動作しないようにする。接触器１３０は、エネルギ蓄積装置１１２とＤＣ−ＡＣインバータ１１４との間に図示されているが、接触器１３０を、（ＡＣモータ１１６の各相を含めて）システム３００内の別の場所に配置してもよい。したがって、図３に示すシステム３００を車両に組み込むと、運転中に熱機関１３６からエネルギを再充電できることに加え、車両を使用していない間にも再充電が可能になる。
【００２７】
図１及び図２にそれぞれ示したシステム１００及び２００とは異なり、図３に示したシステム３００には、エネルギ電池１０２と高比出力エネルギ蓄積装置１０４との間に（ダイオードなどの）単方向結合素子がない。そのような単方向結合素子を用いなくても、高比出力エネルギ蓄積装置１０４の電圧を、エネルギ電池１０２の電圧よりもかなり低い値まで放電することができる。ＡＣモータ１１６が低速且つ低動力で動作している際のシステム３００の効率は、このようにして大幅に改善される。
【００２８】
一部の実施形態のみに関連して本発明を詳説したが、明らかなように、開示したこのような実施形態に本発明が限定されることはない。本発明には、上記されていない、いかなる改変、変更、置換、等価の措置も可能であり、これらも本発明の企図に相当する。また、本発明の様々な実施形態を開示してきたが、これらは、本発明の態様の一部にすぎないことを理解されたい。したがって、上記の説明により本発明が限定されるとみなされることはなく、添付の特許請求の範囲によってのみ解釈される。
【符号の説明】
【００２９】
１００  推進システム
１０２  エネルギ電池
１０４  高比出力エネルギ蓄積装置
１０６  多チャネル双方向昇圧コンバータ
１０８  バス
１１０  バス
１１２  エネルギ蓄積装置
１１４  ＤＣ−ＡＣインバータ
１１６  ＡＣモータ
１１８  正ＤＣリンク
１２０  負ＤＣリンク
１２２  単方向結合素子
１２４  リンク
１２６  電圧センサ
１２８  電流センサ
１３０  接触器
１３２  事前充電回路
１３４  車両システム制御装置（ＶＳＣ）
１３６  熱機関
１３８  オルタネータ
１４０  整流器
１４２  ＡＣプラグ
１４４  絶縁変圧器
１４６  地絡電流遮断器（ＧＦＩ）
１４８  整流器
２００  推進システム
２０２  低電圧側
２０４  負端子
２０６  負端子
２０８  正端子
２１０  正端子
２１２  ＡＣトラクション駆動装置
２１４  高電圧側
２１６  負端子
２１８  ＤＣリンクフィルタキャパシタ
２２２  バス
３００  推進システム
３０２  補助動力装置
３０４  出力
【図１】
2011041461.tif 000003
【図２】
2011041461.tif 000004
【図３】
2011041461.tif 000005